(57)【特許請求の範囲】
【請求項１】
第１のディスク状記録媒体に記録された情報信号を再生して第２のディスク状記録媒体に記録する記録再生装置において、
上記第１のディスク状記録媒体に記録された位置情報に基づいて、再生位置を検出して再生位置情報を生成する再生位置検出手段と、
上記第２のディスク状記録媒体に記録された位置情報に基づいて、記録位置を検出して記録位置情報を生成する記録位置検出手段と、
所定の表示手段と
を有し、
上記表示手段は、
上記再生位置情報及び記録位置情報に基づいて、上記第１及び第２のディスク状記録媒体にそれぞれ対応する第１及び第２の棒グラフ状の表示を並べて形成し、
上記第１及び第２の棒グラフ状の表示により上記再生位置及び記録位置を表示するとともに、
上記第１の棒グラフ状の表示の最大の長さが、上記第１のディスク状記録媒体の再生可能なデータ量に対応するように、上記第１の棒グラフ状の表示を形成し、
上記第２の棒グラフ状の表示の最大の長さが、上記第１の棒グラフ状の表示の最大の長さと等しくなるように、かつ上記第２のディスク状記録媒体の記録可能なデータ量に対応するように、上記第２の棒グラフ状表示を形成する
ことを特徴とする情報信号の記録再生装置。
【請求項２】
第１のディスク状記録媒体に記録された情報信号を選択的に再生して第２のディスク状記録媒体に記録する記録再生装置において、
上記第１及び第２のディスク状記録媒体は、
情報記録面を、管理情報を記録する管理領域と、上記情報信号を記録する情報信号記録領域とに分割し、
上記管理情報により上記情報信号記録領域に記録した上記情報信号を管理できるように形成され、
上記記録再生装置は、
上記第１のディスク状記録媒体の上記管理情報を再生して再生側管理情報を検出する再生側管理情報検出手段と、
上記第２のディスク状記録媒体の上記管理情報を再生して記録側管理情報を検出する記録側管理情報検出手段と、
所定の表示手段と
を有し、
上記表示手段は、
上記第１及び第２のディスク状記録媒体にそれぞれ対応する第１及び第２の棒グラフ状の表示を並べて形成し、
上記再生側管理情報及び記録側管理情報に基づいて、上記第１及び第２の棒グラフ状の表示の長さにより、上記第１及び第２のディスク状記録媒体にそれぞれ記録された情報信号のデータ量を表示し、
上記再生側管理情報に基づいて、上記第１の棒グラフ状の表示の上で、上記選択的に再生する情報信号を点滅により表示するとともに、
上記選択的に再生する情報信号の、上記第１のディスク状記録媒体に記録された順序を、上記選択的に再生す情報信号の数の増加にしたがって上記点滅の位置を増加させることにより表示し、
上記第２の棒グラフ状の表示の上で、上記点滅表示のデータ量に対応する領域を点滅表示する
ことを特徴とする情報信号の記録再生装置。
【請求項３】
第１のディスク状記録媒体に記録された情報信号を再生して第２のディスク状記録媒体に記録する方法において、
上記第１のディスク状記録媒体に記録された位置情報に基づいて、再生位置を検出して再生位置情報を生成し、
上記第２のディスク状記録媒体に記録された位置情報に基づいて、記録位置を検出して記録位置情報を生成し、
上記再生位置情報及び記録位置情報に基づいて、上記第１及び第２のディスク状記録媒体にそれぞれ対応する第１及び第２の棒グラフ状の表示を、表示手段に並べて形成し、
上記第１及び第２の棒グラフ状の表示により上記再生位置及び記録位置を表示するとともに、
上記第１の棒グラフ状の表示の最大の長さが、上記第１のディスク状記録媒体の再生可能なデータ量に対応するように、上記第１の棒グラフ状の表示を形成し、
上記第２の棒グラフ状の表示の最大の長さが、上記第１の棒グラフ状の表示の最大の長さと等しくなるように、かつ上記第２のディスク状記録媒体の記録可能なデータ量に対応するように、上記第２の棒グラフ状表示を形成する
ようにした情報信号の記録再生方法。
【発明の詳細な説明】
【０００１】
【発明の属する技術分野】
本発明は、記録再生装置に関し、例えばコンパクトディスクプレイヤーにより再生されたオーディオ信号をミニディスク装置により記録する際に、並べて配置した棒グラフ状表示により再生位置、記録位置等を表示することにより、記録再生の状況把握に必要な時間情報を視覚的、感覚的に表示し、この表示を介して直感的に記録再生の状況を把握できるようにする。
【０００２】
【従来の技術】
従来、コンパクトディスク、ミニディスクにおいては、最内周に形成されたリードインエリアに種々の管理情報が記録され、この管理情報により各曲の記録開始位置、記録終了位置、全体の演奏時間等を検出できるようになされている。またコンパクトディスクにおいては、オーディオ信号と共に位置情報が記録され、さらにミニディスクにおいては、レーザービームのガイド溝を形成するプリグルーブにより位置情報が記録されるようになされている。
【０００３】
この管理情報及び位置情報を有効に利用して、コンパクトディスクプレイヤーは、全体の演奏時間、現在までの積算した再生時間（以下再生積算時間と呼ぶ）、残り再生時間（以下再生残時間と呼ぶ）等を表示するように形成されている。またミニディスク装置においても、同様に、録音済領域を時間情報に換算した録音時間（以下録音積算時間と呼ぶ）、残り記録可能時間（以下録音残時間と呼ぶ）を表示するように形成され、これによりユーザーの使い勝手を向上するようになされている。
【０００４】
ここでこれらの時間表示は、例えば液晶表示パネル等によりこれらの時間情報を文字情報により表示して形成され、再生積算時間の表示は、例えばコンパクトディスクの先頭から再生を開始して１２分３４秒の位置を再生している場合、「１２：３４」の文字を液晶表示パネル等に表示して形成される。これによりコンパクトディスクプレイヤー、ミニディスク装置は、ユーザーにおいて、演奏時間等を簡易かつ確実に確認できるようになされている。
【０００５】
【発明が解決しようとする課題】
ところでこの種のオーディオ装置においては、コンパクトディスクプレイヤーとミニディスク装置とを一体に保持し、コンパクトディスクプレイヤーで再生したオーディオ信号をミニディスク装置により記録できるようになされたものがある（いわゆるダビングである）。
【０００６】
このダビングにおいては、コンパクトディスクの総演奏時間とミニディスクの記録可能時間とが必ずしも一致していないことにより、さらにはミニディスクにおいては、既に録音された演奏に続いて記録することも可能なこと等により、少なくとも、再生積算時間、再生残時間、録音積算時間、録音残時間を同時に確認することができれば、ダビングの状況を判断することができ、便利であると考えられる。
【０００７】
この場合図１１に示すように、これら４種類の時間情報を並べて表示する方法が考えられる。すなわちコンパクトディスクの時間情報でなることを「ＣＤ」の文字表示で示し、この表示に隣接して再生積算時間（「１２：３４」の表示でなる）、再生残時間（「ＲＥＭＡＩＮ  ３０：１０」の表示でなる）を表示する。さらにミニディスクの時間情報でなることを「ＭＤ」の文字表示で示し、この表示に隣接して録音積算時間（「１２：３４」の表示でなる）、録音残時間（「ＲＥＭＡＩＮ  ４７：２６」の表示でなる）を表示する。
【０００８】
ところがこのようにして単に時間情報を並べて表示したのでは、ダビングの進行状況を即座に把握することが困難な問題がある。この場合に、この種の時間情報を視覚的、感覚的に把握することができれば、ダビングの進行状況を直観的に把握することができると考えられる。
【０００９】
本発明は以上の点を考慮してなされたもので、記録再生の状況把握に必要な時間情報を視覚的、感覚的に把握することができる記録再生装置を提案しようとするものである。
【００１０】
【課題を解決するための手段】
この発明においては、
第１のディスク状記録媒体に記録された情報信号を再生して第２のディスク状記録媒体に記録する記録再生装置において、
上記記録再生装置は、
上記第１のディスク状記録媒体に記録された位置情報に基づいて、再生位置を検出して再生位置情報を生成する再生位置検出手段と、
上記第２のディスク状記録媒体に記録された位置情報に基づいて、記録位置を検出して記録位置情報を生成する記録位置検出手段と、
所定の表示手段と
を有し、
上記表示手段は、
上記再生位置情報及び記録位置情報に基づいて、上記第１及び第２のディスク状記録媒体にそれぞれ対応する第１及び第２の棒グラフ状の表示を並べて形成し、
上記第１及び第２の棒グラフ状の表示により上記再生位置及び記録位置を表示するとともに、
上記第１の棒グラフ状の表示の最大の長さが、上記第１のディスク状記録媒体の再生可能なデータ量に対応するように、上記第１の棒グラフ状の表示を形成し、
上記第２の棒グラフ状の表示の最大の長さが、上記第１の棒グラフ状の表示の最大の長さと等しくなるように、かつ上記第２のディスク状記録媒体の記録可能なデータ量に対応するように、上記第２の棒グラフ状表示を形成する
ことを特徴とする情報信号の記録再生装置
とするものである。
【００１１】
さらに、この発明においては、
第１のディスク状記録媒体に記録された情報信号を選択的に再生して第２のディスク状記録媒体に記録する記録再生装置において、
上記第１及び第２のディスク状記録媒体は、
情報記録面を、管理情報を記録する管理領域と、上記情報信号を記録する情報信号記録領域とに分割し、
上記管理情報により上記情報信号記録領域に記録した上記情報信号を管理できるように形成され、
上記記録再生装置は、
上記第１のディスク状記録媒体の上記管理情報を再生して再生側管理情報を検出する再生側管理情報検出手段と、
上記第２のディスク状記録媒体の上記管理情報を再生して記録側管理情報を検出する記録側管理情報検出手段と、
所定の表示手段と
を有し、
上記表示手段は、
上記第１及び第２のディスク状記録媒体にそれぞれ対応する第１及び第２の棒グラフ状の表示を並べて形成し、
上記再生側管理情報及び記録側管理情報に基づいて、上記第１及び第２の棒グラフ状の表示の長さにより、上記第１及び第２のディスク状記録媒体にそれぞれ記録された情報信号のデータ量を表示し、
上記再生側管理情報に基づいて、上記第１の棒グラフ状の表示の上で、上記選択的に再生する情報信号を点滅により表示するとともに、
上記選択的に再生する情報信号の、上記第１のディスク状記録媒体に記録された順序を、上記選択的に再生す情報信号の数の増加にしたがって上記点滅の位置を増加させることにより表示し、
上記第２の棒グラフ状の表示の上で、上記点滅表示のデータ量に対応する領域を点滅表示する
ことを特徴とする情報信号の記録再生装置
とするものである。
【００２０】
【発明の実施の形態】
以下、適宜図面を参照しながら本発明の実施の形態を詳述する。
【００２１】
図１は、本発明の実施の形態に係るオーディオ装置を示すブロック図である。このオーディオ装置１は、操作ブロック２において検出された操作子の操作に応動して、システム制御回路３によりコンパクトディスクブロック（ＣＤブロック）４、ミニディスクブロック（ＭＤブロック）５の動作を切り換え、コンパクトディスクブロック（ＣＤブロック）４によりコンパクトディスクを再生し、またミニディスクブロック５によりミニディスクを記録再生する。またこのときシステム制御回路３により表示ブロック６を駆動し、種々の情報を表示する。
【００２２】
ここでこのコンパクトディスクブロック４の処理対象でなるコンパクトディスクは、最内周側から順に、リードインエリア、プログラムエリア、リードアウトエリアが形成され、このプログラムエリアにオーディオデータが記録される。
【００２３】
このコンパクトディスクに記録されるオーディオデータは、所定ブロック単位で誤り訂正符号、サブコード等が付加された後、規定のデータ処理により記録データ列に変換され、この記録データ列に対応するようにプログラムエリアに順次ピットが形成されて記録される。オーディオデータは、この誤り訂正符号により誤り訂正処理して確実に再生できるように形成され、またサブコードによりオーディオデータの曲間、再生位置、再生積算時間等を検出できるようになされている。
【００２４】
またコンパクトディスクは、リードインエリアにこのオーディオデータの管理情報を記録する。すなわちコンパクトディスクは、リードインエリアにおいて、規定フォーマットのデータにサブコードが付加されて記録され、この規定フォーマットのデータによりＴＯＣ（Ｔａｂｌｅ  Ｏｆ  Ｃｏｎｔｅｎｔｓ  ）が形成される。このＴＯＣにより、コンパクトディスクは、プログラムエリアに記録されたオーディオ信号の総再生時間、各演奏（以下楽曲と呼ぶ）の再生時間、各楽曲の記録開始位置等が記録される。これによりコンパクトディスクは、このリードインエリアを再生して総演奏時間等の時間情報を検出できるように形成され、またこれら管理情報及びプログラムエリアに記録されたサブコードに基づいて、再生残時間の検出処理、いわゆるプログラム選曲による再生処理等を実行できるようになされている。
【００２５】
図２は、このコンパクトディスクブロック４の構成を示すブロック図であり、コンパクトディスクブロック４は、コンパクトディスク１１をスピンドルモータ１２で回転駆動する。この状態でコンパクトディスクブロック４は、光ピックアップ１３よりレーザービームを射出する。ここでこの光ピックアップ１３は、コンパクトディスク１１の半径方向に可動できるように保持され、これによりコンパクトディスクブロック４では、必要に応じて光ピックアップ１３を可動して、リードインエリアよりＴＯＣを再生できるように形成され、また再生したＴＯＣを基準にして所望の楽曲を選択できるように形成されている。
【００２６】
さらに光ピックアップ１３は、コンパクトディスク１１からの戻り光を複数のフォトディテクタで受光し、コンパクトディスクブロック４では、これらの受光結果に基づいてサーボ回路１４により光ピックアップ１３を駆動してトラッキング制御、フォーカス制御する。さらに光ピックアップ１３は、これらフォトディテクタの出力信号から戻り光の光量に応じて信号レベルが変化する再生信号ＲＦを生成し、増幅回路１５は、この再生信号ＲＦを規定利得で増幅してディジタル信号処理回路１６に出力する。
【００２７】
このディジタル信号処理回路１６は、集積回路で形成され、このコンパクトディスクブロック４のシステム制御回路１７により設定された動作モードに従って動作する。すなわちディジタル信号処理回路１６は、ＥＦＭ（Ｅｉｇｈｔ  ｔｏ  Ｆｏｕｒｔｅｅｎ  Ｍｏｄｕｌａｔｉｏｎ）復調回路１９において、再生信号ＲＦから再生クロックを検出し、この再生クロックを速度制御回路２０に出力する。速度制御回路２０は、この再生クロックが規定の周波数になるようにスピンドルモータを駆動し、これによりコンパクトディスクブロック４では、コンパクトディスク１１を線速度一定の条件により回転駆動する。
【００２８】
さらにＥＦＭ復調回路１９は、この再生信号ＲＦを２値化した後、再生クロックを基準にしてシリアルデータに変換し、このシリアルデータをＥＦＭ復調する。デインターリーブ回路２１は、このＥＦＭ復調回路１９の出力データをランダムアクセスメモリ（ＲＡＭ：Ｒａｎｄｏｍ  Ａｃｃｅｓｓ  Ｍｅｍｏｒｙ）２２に格納してデインターリーブ処理する。さらにデインターリーブ回路２１は、このランダムアクセスメモリ２２に格納したデータをＣＩＲＣエラー訂正回路２３に出力し、ここでオーディオデータに付加された誤り訂正符号により誤り訂正処理する。
【００２９】
これによりコンパクトディスクブロック４では、オーディオデータを正しく復号してディジタルオーディオ信号を生成し、このディジタルオーディオ信号をディジタルフィルタ２４で帯域制限する。コンパクトディスクブロック４は、コンパクトディスク１１をダビングする場合、このディジタルオーディオ信号ＤＡをミニディスクブロック５（図１）に出力する。これに対してコンパクトディスク１１を単に再生する場合、ディジタルアナログ変換回路（Ｄ／Ａ）２５を介してアナログ信号でなるオーディオ信号ＳＡに変換し、図示しない増幅回路を介してスピーカに出力する。
【００３０】
このようなオーディオデータの再生系に対して、ディジタル信号処理回路１６は、オーディオデータに付加されたサブコードＳＵＢをシステム制御回路１７に出力する。またシステム制御回路１７は、コンパクトディスク１１が装填された場合、電源が立ち上げられた場合、リードインエリアを再生するように、このコンパクトディスクブロック４の動作を制御し、リードインエリアより得られるＴＯＣのデータをディジタル信号処理回路１６より入力する。
【００３１】
これによりシステム制御回路１７は、ＴＯＣのデータより、コンパクトディスク１１の総演奏時間、記録楽曲数、各楽曲の演奏時間を検出し、必要に応じてシステム制御回路３を介して表示ブロック６に表示できるようになされている。またＴＯＣのデータより、楽曲の記録開始位置を検出できるようになされ、この検出結果よりサブコードＳＵＢを基準にして光ピックアップ１３を可動して、所望の楽曲を再生できるようになされ、またシステム制御回路３を介して入力される演奏順序に従ってプログラム再生できるようになされている。
【００３２】
また再生中においては、サブコードＳＵＢを基準にしてコンパクトディスク１１の再生積算時間、再生残時間を検出して必要に応じてシステム制御回路３を介して表示ブロック６に表示できるようになされ、同様にして、各楽曲の再生時間、各楽曲の再生残時間を表示できるようになされている。
【００３３】
これに対してミニディスクブロック５の処理対象でなるミニディスクは、最内周側から順に、リードインエリア、プログラムエリア、リードアウトエリアが形成され、また内周側から外周側に向かってラセン状に、レーザービームのガイド溝を形成するプリグルーブが形成される。このプリグルーブは、いわゆるウォウブル信号により蛇行して形成され、コンパクトディスクでは、このプリグルーブを基準にしてトラッキング制御できるように形成され、またこの蛇行を基準にして記録再生位置のアドレスを検出できるようになされている。ミニディスクは、データ圧縮されたオーディオデータがコンパクトディスクと同様のデータ処理を受けた後、このプリグルーブを基準にしてプログラムエリアに記録される。
【００３４】
またミニディスクは、コンパクトディスクと同様に、プログラムエリアに記録したオーディオデータの管理情報をリードインエリアに記録する。すなわちミニディスクは、リードインエリアの内周側に、規定フォーマットのデータがプリフォーマットにより記録され、このデータによりＰ−ＴＯＣが形成される。またミニディスクは、オーディオデータの記録再生に伴い、続くリードインエリアを更新できるように形成され、これによりこの残るリードインエリアにＵ−ＴＯＣが形成される。
【００３５】
ここでＰ−ＴＯＣは、複数のセクタにより形成され、これらのセクタでミニディスクに形成された再生専用の領域、Ｕ−ＴＯＣを主に管理する。すなわち図３は、これら複数セクタのＰ−ＴＯＣのうちの、セクタ０のＰ−ＴＯＣを示す図表である。このセクタ０のＰ−ＴＯＣは、先頭の８ビット×４×６の領域がヘッダに割り当てられ、オール１又はオール０の１バイトデータを配列して形成される同期パターンがこのヘッダに割り当てられる。またこのヘッダに、クラスタの上位アドレス及び下位アドレス（ｃｌｕｓｔｅｒ  Ｈ  及びｃｌｕｓｔｅｒ  Ｌ  ）が分割して割り当てられる。
【００３６】
またヘッダに続いて、「ＭＩＮＩ」の文字コードがアスキーコードにより割り当てられ、これによりディスクの種類が明示される。さらに続いて、ディスクタイプ、録音レベルのデータが割り当てられ、続いて記録されている最初の楽曲のトラック番号（Ｆｉｒｓｔ  ＴＮＯ  ）、最後の曲番のトラック番号（Ｌａｓｔ  ＴＮＯ）が記録される。またリードアウトエリアのスタートアドレス（ＰＯ）、光量調整領域のアドレス（ＰＣ）、Ｕ−ＴＯＣエリアのスタートアドレス（ＵＳＴ）、録音可能エリアのスタートアドレス（ＲＳＴ）が記録される。これらの情報によりミニディスクでは、Ｕ−ＴＯＣエリア、プログラムエリア等をアクセスできるように形成されている。
【００３７】
続いてこのＰ−ＴＯＣは、再生専用の各楽曲のポインター（Ｐ−ＴＮＯ）を順次２５５個分記録可能に設定され、この各ポインターに対応するスタートアドレス及びエンドアドレスが順次記録されるようになされている。これにより再生専用ミニディスクのプログラムエリア、いわゆるハイブリッド型ミニディスク（プログラムエリアを再生専用の領域と記録再生可能な領域とに分割して形成されたミニディスクでなる）の再生専用のプログラムエリアでは、先の最初の楽曲のトラック番号（Ｆｉｒｓｔ  ＴＮＯ  ）、最後の楽曲のトラック番号（Ｌａｓｔ  ＴＮＯ）により記録された楽曲の数を検出できるようになされている。またこの種のプログラムエリアでは、各楽曲のポインター（Ｐ−ＴＮＯ）と、対応するスタートアドレス及びエンドアドレスとから、これらの各楽曲の記録位置を確認できるようになされ、さらにはスタートアドレス及びエンドアドレスを時間情報に換算して各楽曲の演奏時間を確認できるようになされている。
【００３８】
これに対して、ハイブリッド型のミニディスク、プログラムエリアの全部を記録可能な領域に形成してなるミニディスクにおいては、リードアウトエリア（ＰＯ）及び録音可能エリアのスタートアドレス（ＲＳＴ）を検出して記録再生可能な領域を検出できるようになされている。これに加えて、この種のミニディスクでは、Ｕ−ＴＯＣエリアのスタートアドレス（ＵＳＴ）よりＵ−ＴＯＣを参照して、この記録再生可能な領域に記録した各楽曲の記録位置等を確認できるように形成され、また未記録領域を検出できるようなされている。
【００３９】
すなわちＵ−ＴＯＣは、Ｐ−ＴＯＣと同様に、複数のセクタにより形成され、これらのセクタでミニディスクに形成された記録再生可能な領域を管理する。図４は、これら複数セクタのＵ−ＴＯＣのうちの、セクタ０のＵ−ＴＯＣを示す図表である。このセクタ０のＵ−ＴＯＣは、先頭の８ビット×４×７の領域がヘッダに割り当てられ、オール１又はオール０の１バイトデータを配列して形成される同期パターンがこのヘッダに割り当てられる。またこのヘッダに、クラスタの上位アドレス及び下位アドレス（ｃｌｕｓｔｅｒ  Ｈ  及びｃｌｕｓｔｅｒ  Ｌ  ）が分割して割り当てられる。
【００４０】
続いてＵ−ＴＯＣは、メーカーコード（Ｍａｋｅｒ  ｃｏｄｅ）、モデルコード（Ｍｏｄｅｌ  ｃｏｄｅ）、最初の楽曲のトラック番号（Ｆｉｒｓｔ  ＴＮＯ  ）、最後の楽曲のトラック番号（Ｌａｓｔ  ＴＮＯ）が記録される。続いてオール０のデータを間に挟んでセクタの使用状況（Ｕｓｅｄ  Ｓｅｃｔｅｒ  ）、ディスクシリアル番号（Ｄｉｓｃ  Ｓｅｒｉａｌ  ＮＯ）、ディスクＩＤ（Ｄｉｓｃ  ＩＤ  ）等が記録される。
【００４１】
さらに続いてＵ−ＴＯＣは、記録再生可能なプログラムエリアに記録された各楽曲に関して、ポインター（Ｐ−ＴＮＯ）を順次２５５個分記録可能に設定される。ここでミニディスクにおいては、連続して記録した複数の楽曲のうちの、所望の楽曲を消去する場合が考えられる。またこの消去した領域に別途楽曲を記録する場合も考えられ、さらにはこれらの処理を一つの記録の処理により実行する場合も考えられる。これらの場合に、例えば消去した領域に比して新たに記録する楽曲の演奏時間が長い場合も考えられる。ミニディスクは、このような場合でも、この消去した領域を有効に利用できるように、この新たに記録する楽曲を、この消去した領域に記録し、残りを他の未記録領域に記録できるようになされている。ここで、このようにして離散的に記録された楽曲の各まとまりをそれぞれパーツと呼ぶ。
【００４２】
Ｕ−ＴＯＣは、ポインター（Ｐ−ＴＮＯ）に対応するスタートアドレス及びエンドアドレスにより、これら各パーツのスタートアドレス及びエンドアドレスが順次記録されるようになされている。またこれらスタートアドレス及びエンドアドレスに対応して、各パーツのモード情報（Ｔｒａｃｋ  ｍｏｄｅ）、続くパーツを指定する、ポインター（Ｐ−ＴＮＯ）と同一の表現形式でなるリンクポインター（Ｌｉｎｋ−Ｐ）が記録されるようになされている。これによりこの種のミニディスクでは、各楽曲について、各楽曲のポインター（Ｐ−ＴＮＯ）に対応するスタートアドレス及びエンドアドレスを基準にしてパーツを再生した後、リンクポインターが設定されている場合は、このリンクポインターを辿って対応するポインター（Ｐ−ＴＮＯ）のスタートアドレス及びエンドアドレスを基準にして続くパーツを順次再生することにより、各楽曲を再生できるようになされている。
【００４３】
なおＰ−ＴＯＣにおいても、ポインター（Ｐ−ＴＮＯ）は、各パーツのスタートアドレス及びエンドアドレスを指定することになるが、Ｐ−ＴＯＣの場合、再生専用領域を管理し、この再生専用領域では各楽曲が１つのパーツとして記録されていることにより、このリンクポインターに対応するデータとしてオール０のデータが記録され（図３）、実際上、ポインター（Ｐ−ＴＮＯ）は、トラック番号に対応する各楽曲を指定するようになされている。
【００４４】
かくするにつき、記録再生可能なミニディスクでは、各楽曲のポインター（Ｐ−ＴＮＯ）と対応するリンクポインターを順次辿ってスタートアドレス及びエンドアドレスよりアドレスデータの累積値を得、この累積値を時間情報に換算して各楽曲の記録時間を確認できるようになされ、またこれらの記録時間を累積して全体の記録時間を検出できるようになされている。またこれとは逆の関係になる記録残時間については、Ｐ−ＴＯＣより検出した全体の記録可能時間よりこのようにして検出した累積時間を減算することにより、検出できるようになされている。
【００４５】
さらにこのようにして検出される各楽曲の演奏時間と、プリグルーブより検出される記録再生位置より、再生積算時間、再生残時間、記録積算時間、記録残時間を検出できるようになされている。
【００４６】
図５は、このミニディスクを再生するミニディスクブロック５を示すブロック図である。ミニディスクブロック５は、ミニディスク３１をスピンドルモータ３２で回転駆動する。この状態でミニディスクブロック５は、光ピックアップ３３よりレーザービームを射出する。ここでこの光ピックアップ３３は、ミニディスク３１を間に挟んで対向するように保持された変調コイル３４と共に、スレッド機構３５によりミニディスク３１の半径方向に可動できるように保持され、これによりミニディスクブロック５では、必要に応じて光ピックアップ３３及び変調コイル３４を移動して、リードインエリアよりＰ−ＴＯＣ、Ｕ−ＴＯＣを再生できるように、またＵ−ＴＯＣを更新できるように形成され、またＰ−ＴＯＣ、Ｕ−ＴＯＣを基準にして所望の楽曲を記録再生できるように形成されている。
【００４７】
さらに光ピックアップ３３は、ミニディスク３１からの戻り光を複数のフォトディテクタで受光し、ミニディスクブロック５では、これらの受光結果を増幅回路３６を介して増幅して出力する。このとき光ピックアップ３３は、受光結果を演算処理することにより、トラッキングエラー量に応じて信号レベルが変化するトラッキングエラー信号ＴＥ、フォーカスエラー量に応じて信号レベルが変化するフォーカスエラー信号ＦＥ、プリグルーブの蛇行に追従して信号レベルが変化するウォウブル信号を生成する。また光ピックアップ３３は、記録時にあっては、間欠的にレーザービームの光量を立ち上げるのに対し、再生時においては、戻り光の偏光面の変化に応じて信号レベルが変化する再生信号ＭＯを生成する。
【００４８】
サーボ回路３７は、このフォーカスエラー信号ＦＥ及びトラッキングエラー信号ＴＥの信号レベルが０レベルになるように、光ピックアップ３３の対物レンズ３３ａをそれぞれ上下、左右に可動し、これによりフォーカス制御及びトラッキング制御する。またサーボ回路３７は、このウォウブル信号の中心周波数が規定周波数になるように、スピンドルモータ３２を回転駆動し、これによりミニディスクを規定の回転速度により回転駆動する。さらにサーボ回路３７は、システム制御回路３８により制御されてスレッド機構３５を駆動し、これにより光ピックアップ３３及び変調コイル３４を所望の記録再生位置に移動させる。
【００４９】
アドレスデコーダ３９は、ウォウブル信号を基準にして再生クロックを生成する。またアドレスデコーダ３９は、ウォウブル信号を周波数復調し、これによりプリグルーブの蛇行により記録されたアドレスデータを検出する。アドレスデコーダ３９は、検出したアドレスデータをエンコーダ／デコーダ４０及びシステム制御回路３８に出力し、これによりシステム制御回路３８において記録再生位置を検出できるようになされている。
【００５０】
エンコーダ／デコーダ４０は、再生時、この増幅回路３６より出力される再生信号を２値化した後、再生クロックを基準にしてシリアルデータに変換する。さらにエンコーダ／デコーダ４０は、このシリアルデータをＥＦＭ復調した後、誤り訂正処理を実行し、その結果得られるオーディオデータをメモリコントローラ４２に出力する。これらの処理とは逆に、記録時、エンコーダ／デコーダ４０は、メモリコントローラ４２を介して入力されるオーディオデータを規定のデータ構造に変換した後、ＥＦＭ変調し、これにより記録データ列を生成する。
【００５１】
駆動回路４１は、記録時、この記録データ列に応じて変調コイル３４を駆動し、これにより光ピックアップ３３より出力されるレーザービームの照射位置に、記録データ列に対応する変調磁界を印加する。これによりミニディスクブロック５では、熱磁気記録の手法を適用して所望のオーディオデータを記録できるようになされている。
【００５２】
メモリコントローラ４２は、再生時、エンコーダ／デコーダ４０より入力されるオーディオデータを大容量のランダムアクセスメモリ４３に一旦格納した後、音声圧縮エンコーダ／デコーダ４４に出力する。このときメモリコントローラ４２は、格納時の１／２のデータ転送速度でオーディオデータを出力する。これによりミニディスクブロック５では、再生時、２倍の転送速度でオーディオデータをミニディスク３１より再生すると共に、ランダムアクセスメモリ４３をバッファメモリとして使用し、リンクポインターで規定されるパーツを離散的に再生する場合でも、音切れを有効に回避できるようになされている。
【００５３】
これに対してメモリコントローラ４２は、記録時、音声圧縮エンコーダ／デコーダ４４より出力されるオーディオデータをランダムアクセスメモリ４３に一旦格納した後、エンコーダ／デコーダ４０に出力する。このときメモリコントローラ４２は、格納時の２倍のデータ転送速度でオーディオデータを出力する。これによりミニディスクブロック５では、記録時、２倍の転送速度でオーディオデータをミニディスク３１に記録すると共に、ランダムアクセスメモリ４３をバッファメモリとして使用し、１つの楽曲をパーツに分解して、プログラムエリアに離散的に残る記録可能な領域に順次記録する場合でも、音切れを有効に回避して記録できるようになされている。
【００５４】
音声圧縮エンコーダ／デコーダ４４は、再生時、メモリコントローラ４２より出力されるオーディオデータをデータ伸長し、ディジタルオーディオ信号ＤＡを出力する。またミニディスク３１を単に再生する場合、ディジタルアナログ変換回路４６を介してアナログ信号でなるオーディオ信号ＳＡに変換し、図示しない増幅回路を介してスピーカに出力する。
【００５５】
これに対して音声圧縮エンコーダ／デコーダ４４は、記録時、順次入力されるオーディオ信号ＳＡをアナログディジタル変換回路４７によりディジタルオーディオ信号に変換して受け、このディジタルオーディオ信号をデータ圧縮してオーディオデータを生成する。またコンパクトディスク１１をダビングする場合、コンパクトディスクブロック４より出力されるディジタルオーディオ信号ＤＡをデータ圧縮してオーディオデータを生成し、このオーディオデータをメモリコントローラ４２に出力する。これによりこのオーディオ装置１では、コンパクトディスク１１のオーディオ信号をミニディスクにダビングできるようになされている。
【００５６】
このようなオーディオデータの記録再生系に対して、エンコーダ／デコーダ４０は、リードインエリアを再生して得られるＰ−ＴＯＣ及びＵ−ＴＯＣのデータを再生してシステム制御回路３８に出力する。また、システム制御回路３８より出力されるＵ−ＴＯＣのデータに基づいて、駆動回路４１を駆動し、これによりミニディスク３１のＵ−ＴＯＣを更新する。
【００５７】
これに対応してシステム制御回路３８は、ミニディスク３１が装填された場合、電源が立ち上げられた場合、リードインエリアを再生するように、このミニディスクブロック５の動作を制御し、エンコーダ／デコーダ４０よりＰ−ＴＯＣ及びＵ−ＴＯＣのデータを取り込む。さらにシステム制御回路３８は、この取り込んだＵ−ＴＯＣのデータより、図４について上述したポインター（Ｐ−ＴＮＯ）、スタートアドレス、エンドアドレス、リンクポインター等により形成されるテーブルを内部のメモリに形成し、このテーブルを基準にして全体の動作を制御し、ミニディスク３１に記録されたオーディオ信号を再生する。
【００５８】
さらにシステム制御回路３８は、この内部に形成したテーブルを基準にして、システム制御回路３により制御されて、外部機器より入力されるオーディオ信号、コンパクトディスクブロック４より出力されるオーディオデータをミニディスク３１に記録し、この記録の処理に対応して内部に形成したテーブルを順次更新する。さらにシステム制御回路３８は、このオーディオ装置の電源が立ち下げられる場合、ミニディスクが排出される場合、この内部に形成したテーブルのデータをエンコーダ／デコーダ４０に出力し、これによりＵ−ＴＯＣの内容を更新する。
【００５９】
このようにして記録再生の処理を実行する際に、システム制御回路３８は、図４について上述したように、Ｐ−ＴＯＣのデータより、ミニディスク３１の総記録可能時間を検出し、さらにＵ−ＴＯＣのデータより各パーツのスタートアドレス等を順次辿ってアドレスデータを累積した後、時間情報に換算することにより、各楽曲の演奏時間、記録曲数、記録曲全体の演奏時間を検出し、必要に応じてシステム制御回路３を介して表示ブロック６に表示する。
【００６０】
またシステム制御回路３８は、総録音可能時間からこのようにして得られる記録曲全体の演奏時間を減算して残る録音可能時間を検出し、同様に、必要に応じてシステム制御回路３を介して表示ブロック６に表示する。さらにシステム制御回路３８は、これらのアドレスデータとウォウブル信号を基準にしてアドレスデコーダ３９より得られるアドレスデータから、録音再生中に、再生積算時間、再生残時間、録音積算時間、録音残時間等を検出して表示する。
【００６１】
このオーディオ装置１は、このようにしてコンパクトディスクブロック４、ミニディスクブロック５より得られる時間情報を、必要に応じて表示ブロック６に表示する（図１）。この表示においてオーディオ装置１は、ダビング時、ダビングの進行状況を視覚的、感覚的に把握できるように、これらの時間情報を表示する。
【００６２】
すなわち表示ブロック６（図１）は、液晶表示パネル４９とこの液晶表示パネルを駆動する周辺回路により形成され、液晶表示パネル４９は、矩形形状のセグメントが直線状に連続して配置され、これにより棒グラフ状表示５０、５１を形成できるようになされている。なおこの実施の形態の場合、それぞれ２０個のセグメントによりこの棒グラフ状表示５０、５１を形成できるようになされている。このセグメントの配置は、このオーディオ装置１におけるコンパクトディスク１１及びミニディスク３１の配置に対応して、上下方向に２列に並んで配置され、この配列の左端に、それぞれコンパクトディスク１１及びミニディスク３１に対応する「ＣＤ」及び「ＭＤ」の文字表示部が形成されるようになされている。これによりこのオーディオ装置１では、それぞれコンパクトディスクを選択した動作モード、ミニディスクを選択した動作モードにおいて、この文字表示部を点灯し、ユーザーにおいて動作モードを把握できるようになされている。
【００６３】
またこの文字表示の左側には、それぞれコンパクトディスク１１及びミニディスク３１の図案化したシンボル５２、５３が形成される。ここでこのシンボル５２、５３は、略扇形状のセグメントの集合により、それぞれ楕円形状の図案を形成するようになされ、このオーディオ装置１では、この略扇形状のセグメントを順次循環的に点灯して、それぞれコンパクトディスクを再生している状態、ミニディスクを記録再生している状態を視覚的に表示する。
【００６４】
従ってこの表示ブロック６では、コンパクトディスク１１のオーディオ信号をミニディスク３１にダビングしている場合、シンボル５２、５３が共に循環的に表示され、これによりユーザーにおいて、簡易かつ確実に動作モードを確認できるようになされている。なおミニディスク側のシンボル５３においては、ケースを示す矩形形状の表示により楕円形状の表示を囲むように形成され、これによりオーディオ装置１では、コンパクトディスク１１及びミニディスク３１の外形形状に似通ったシンボルを表示して、コンパクトディスクブロック４及びミニディスクブロック５の動作状況を確実に識別できるようになされている。
【００６５】
さらにこのシンボル５２、５３と文字表示の間には、コンパクトディスク１１のシンボル５２からミニディスク３１のシンボル５３に向かう矢印形状の表示部が形成され、ダビング時、この矢印の表示部を点灯してオーディオ信号の流れを視覚的に表示するようになされている。これによりオーディオ装置１では、ユーザーにおいて、シンボル５２、５３がそれぞれ循環的に表示されている状態で、この矢印の表示を目視してダビングの動作モードを簡易かつ確実に把握することができるようになされている。
【００６６】
さらにこの液晶表示パネル４９において、棒グラフ状表示の下側、右端に、文字表示部５５が形成され、この文字表示部５５に、再生中のトラック番号、時間情報を表示できるように形成され、これによりコンパクトディスク１１、ミニディスク３１の再生積算時間、再生残時間、記録可能時間、記録積算時間、記録残時間等を正確に確認できるようになされている。
【００６７】
かくするにつき、このオーディオ装置１では、この棒グラフ状表示５０及び５１を使用して、ダビング時、ダビングの進行状況を視覚的、感覚的に把握できるようになされ、またコンパクトディスク１１だけを再生している場合、ミニディスク３１だけを記録再生している場合にも、動作の状況を視覚的、感覚的に把握できるようになされている。
【００６８】
この表示ブロック６の表示は、このオーディオ装置１全体の動作を制御するシステム制御回路３により制御されて形成される。すなわちシステム制御回路３は、ユーザーが操作子を操作してコンパクトディスクの動作モードを選択すると、「ＣＤ」の文字表示を点灯する。この状態で、再生の操作子が操作されると、コンパクトディスク１１のシンボル５２を循環的に表示する。
【００６９】
またシステム制御回路３は、ユーザーの操作に応動して文字表示部５５の表示を切り換え、コンパクトディスク１１全体の再生累積時間及び再生残時間、各楽曲の再生時間及び再生残時間等を表示する。さらに「ＣＤ」の文字表示に並んで配列されたセグメントを全て点灯し、棒グラフ状表示５０を形成する。この状態でシステム制御回路３は、コンパクトディスクブロック４のシステム制御回路１７より得られる時間情報を基準にして、コンパクトディスク１１の総演奏時間における再生位置を検出し、この棒グラフ状表示の左端から数えた対応する位置のセグメントを点滅表示する（なお、図面上においては、点滅表示のセグメントを星印により示す）。すなわちシステム制御回路３は、セグメントを全て点灯した状態の、この棒グラフ状表示５０全体の長さがコンパクトディスク１１の総演奏時間に対応するように、また左端を演奏開始位置に設定した状態で、サブコードより得られる再生位置より再生積算時間を検出し、この再生積算時間に対応するセグメントを点滅表示する。
【００７０】
これによりシステム制御回路３は、コンパクトディスク１１によって記録時間が異なる場合でも、この棒グラフ状表示の長さがコンパクトディスク１１の総再生時間を表すように設定して、この棒グラフ上にて再生位置を表示する。これによりユーザーにおいては、コンパクトディスク１１をほぼ半分再生した等の再生の状況を視覚的に把握することができ、その分このオーディオ装置の使い勝手を向上することができる。また再生累積時間、再生残時間についても、この点滅表示の左側、棒グラフの長さと、右側、棒グラフの長さとにより、簡易かつ視覚的に把握することができ、必要に応じてトラック番号、時間情報を文字情報にて表示して正確な時間情報を検出することができる。
【００７１】
なおコンパクトディスクブロック４により再生するコンパクトディスクがいわゆるシングルＣＤの場合、システム制御回路３は、全セグメントの点灯による棒グラフ状表示５０の長さをコンパクトディスクの総演奏時間に割り当てる代わりに、全セグメントの点灯による棒グラフ状表示５０の長さが７４分になるように、１セグメントに割り当てる演奏時間を設定し（すなわちこの実施の形態の場合全セグメント数が２０でなることにより、１セグメント当たり３．７分の演奏時間でなる）、シングルＣＤの演奏時間の分、セグメントを点灯して上述の棒グラフ状表示５０を形成する。
【００７２】
これに対してコンパクトディスク１１をプログラム再生する場合、システム制御回路３は、選曲時、この棒グラフ状表示５０を有効に利用して、ユーザーの選曲作業を手助けする。すなわちシステム制御回路３は、ユーザーがプログラム再生の動作モードを選択すると、文字表示部５５の表示を切り換え、ユーザーの操作に応動してコンパクトディスク１１に記録された各楽曲のトラック番号及び記録時間を文字表示部５５に表示する。さらにシステム制御回路３は、コンパクトディスク側の棒グラフ状表示５０を全て点灯し、ユーザーが所望の楽曲を選択すると、対応するトラックのスタートアドレス、エンドアドレスを検出する。
【００７３】
続いてシステム制御回路３は、この棒グラフ状表示５０の全てのセグメントを点灯した際に、この棒グラフ状表示５０全体の長さがコンパクトディスク１１の総演奏時間になるように設定し、ユーザーの選択した楽曲の演奏時間より、この棒グラフ表示の全長に対応する演奏時間のセグメント数を検出する。このときユーザーの選択した楽曲の演奏時間が１つのセグメントに満たない場合、システム制御回路３は、対応するセグメント数を値１に設定する。続いてシステム制御回路３は、棒グラフ状表示５０の左端側をリードインエリア側に設定し、スタートアドレスよりユーザーの選択した楽曲に対応するセグメント位置を検出し、この位置より先に検出したセグメント数だけ、棒グラフ状表示５０を点滅表示する。なおこの場合も、システム制御回路３は、コンパクトディスク１１がミニＣＤの場合、全てのセグメントの点灯による棒グラフ状表示５０全体の長さをコンパクトディスク１１の総演奏時間に設定する代わりに、１セグメント当たりの演奏時間を３．７分に設定して棒グラフ状表示５０を形成する。
【００７４】
これによりこの表示においては、視覚的、感覚的に、ユーザーの選択した楽曲の位置、時間を表示することができ、ユーザーの選択操作を手助けすることができる。因みに、このプログラム選曲の再生を開始すると、システム制御回路３は、先の再生動作の場合と同様に再生位置に対応するセグメントを点滅表示すると共に、残るセグメントを点灯表示する。
【００７５】
これに対してユーザーがミニディスクの動作モードを選択した場合、システム制御回路３は、コンパクトディスク１１の文字表示（ＣＤ）に代えて、ミニディスクの文字表示（ＭＤ）を点灯する。さらにこのミニディスクの記録再生を開始すると、ミニディスクのシンボル５３を循環表示する。さらにユーザーの選択操作に応動して文字表示部５５に、記録再生に供する楽曲のトラック番号と記録時間、記録累積時間、再生累積時間、記録残時間、記録可能時間等を表示する。
【００７６】
さらにシステム制御回路３は、コンパクトディスク１１側の棒グラフ状表示に代えて、ミニディスク側の棒グラフ状表示５１を表示する。このときシステム制御回路３は、ミニディスクをノーマルモードにより再生する場合、全てのセグメントを点灯した際のこの棒グラフ状表示全体の長さが７４分（ミニディスクの標準の記録可能時間でなる）の演奏時間に対応するように１セグメントに割り当てる単位セグメント当たりの演奏時間を設定し、リンクポインターを辿って検出されるミニディスクの総記録時間の分だけ、この棒グラフ状表示５１のセグメントを左端より点灯する。かくするにつき、この実施の形態では、棒グラフ状表示５１のセグメント数が２０に選定されており、これにより１セグメントに３．７分に相当するデータ量が割り当てられることになる。
【００７７】
さらにシステム制御回路３は、再生中の楽曲よりトラック番号の若い楽曲について、同様にして総演奏時間を算出し、またウォウブル信号より検出されるアドレスデータより再生中の楽曲の演奏開始から現在時刻までの経過時間を算出する。システム制御回路３は、このようにして算出した２つの時間情報を加算して、ユーザーがミニディスクを再生して体感する再生位置を時間情報により検出する。さらにシステム制御回路３は、この加算した時間に対応するセグメントを点滅表示に切り換える。これによりオーディオ装置１では、ミニディスクを再生する場合でも、視覚的、感覚的に再生の状況を把握できるようになされている。
【００７８】
これに対してプログラム再生においては、選択時、同様にミニディスクの総記録時間の分だけ、この棒グラフ状表示５１のセグメントを点灯する。この状態でコンパクトディスク１１の場合と同様に、ユーザーの選択した楽曲に対応するセグメントを点滅表示に切り換える。このときシステム制御回路３は、全てのセグメントを点灯した際のこの棒グラフ状表示５１全体の長さが７４分になるように、ユーザーの選択した楽曲の演奏時間に対応して点滅表示するセグメント数を設定する。またノーマルモードにより再生する場合と同様に、ユーザーの選択した楽曲に対応するトラック番号よりトラック番号の若い楽曲について、総演奏時間を算出し、この総演奏時間より点滅表示を開始するセグメントの位置を検出する。これによりシステム制御回路３は、棒グラフ状表示５１によりユーザーの選択操作を手助けした後、ユーザーが再生動作を指示すると、棒グラフ状表示５１をノーマルモードの場合と同様の表示に切り換える。
【００７９】
これに対してミニディスクを記録する場合、ミニディスクに既に記録されたオーディオ信号の総記録時間の分だけ、この棒グラフ状表示５１のセグメントを点灯する。この状態でユーザーが、未記録領域にオーディオ信号を記録する動作モード（以下追記録と呼ぶ）を選択した場合、ウォウブル信号より得られるアドレスデータより、記録を開始した後、現在時点に至るまでの時間をアドレスデータにより累積する。さらにこの累積値を時間情報に換算し、この累積した時間情報の分、録音開始時に点灯した総記録時間分の棒グラフ状表示５１を順次延長して点灯する。さらにこの延長して点灯した先頭のセグメントを点滅表示し、これにより記録位置を表示する。
【００８０】
これに対して既に楽曲が記録されている領域についてもオーディオ信号を記録する場合（以下重書き録音と呼ぶ）、同様にミニディスクに既に記録されたオーディオ信号の総記録時間の分だけ、この棒グラフ状表示５１のセグメントを点灯した状態で、ミニディスクに既に記録されている楽曲から、ユーザーがミニディスクに残すことを希望した楽曲について、スタートアドレス、エンドアドレス、リンクポインターを順次辿って別途総記録時間を検出する。録音を開始すると、システム制御回路３は、この別途検出した総記録時間に続くセグメントを点滅表示に切り換えた後、順次ウォウブル信号を検出して得られるアドレスデータの累積値により、記録を開始して現在時点に至るまでの累積時間を検出する。さらにシステム制御回路３は、この累積時間の分、この点滅表示の位置を順次右側に移動させ、また左端よりこの点滅表示のセグメントまでの間を点灯表示に切り換える。これによりシステム制御回路３は、既に記録された楽曲のデータ量を表示した状態で、記録位置、記録累積時間を表示する。
【００８１】
なおこの重書き録音において、ユーザーが重書き録音する楽曲を選択する際に、システム制御回路３は、ユーザーの選択操作の手助けとなるように、プログラム選曲において楽曲を選択する場合と同様に、この棒グラフ状表示５１を切り換える。これによりオーディオ装置１では、ミニディスク３１を記録する場合でも、記録位置を視覚的、感覚的に把握できるようになされている。
【００８２】
これに対してコンパクトディスク１１に記録されたオーディオ信号をミニディスク３１にダビングする場合、システム制御回路３は、コンパクトディスク１１及びミニディスクの文字表示（ＣＤ及びＭＤ）の双方を点灯する。さらにダビングを開始すると、コンパクトディスク及びミニディスクのシンボル５２及び５３を循環的に表示する。さらにシステム制御回路３は、ダビングを開始すると、シンボル５２、５３間と文字表示間に配置した矢印の表示を点灯表示し、これによりオーディオ信号の流れを表示する。またシステム制御回路３は、ユーザーの選択操作に応動して文字表示部５５に、記録再生に供する楽曲のトラック番号と記録時間、記録累積時間、再生累積時間、記録残時間、記録可能時間等を表示する。
【００８３】
さらにシステム制御回路３は、コンパクトディスク１１及びミニディスク３１の棒グラフ状表示５０及び５１を点灯する。このときシステム制御回路３は、リンクポインターを辿ってミニディスクに既に記録されたオーディオ信号の総記録時間を算出し、図６（Ａ）に示すように、ミニディスク側の棒グラフ状表示５１において、全てのセグメントを点灯した際の棒グラフ状表示５１全体の長さが７４分の演奏時間に対応するように、この算出した総演奏時間の分セグメントを点灯する。なおここでは、黒色に塗りつぶした矩形形状により点灯表示のセグメントを、黒枠の表示により未点灯のセグメントを示す。
【００８４】
またシステム制御回路３は、コンパクトディスク側の棒グラフ状表示５０については、ＴＯＣより総記録時間を検出し、ミニディスク３１の棒グラフ状表示５１に対応するように、この総記録時間の分だけセグメントを点灯する。すなわちこの場合システム制御回路３は、棒グラフ状表示５０及び５１が、共に２０個のセグメントにより形成されることにより、１セグメントが３．７分の演奏時間を表示するように、コンパクトディスク１１側棒グラフ状表示５０のセグメントを表示する。従ってこの図６（Ａ）に示す状態では、コンパクトディスク１１の総演奏時間が、ミニディスク３１の総記録可能時間と等しい７４分でなる状態を示していることになる。
【００８５】
この状態でユーザーが追記録の動作モードを選択してダビングを開始すると、図６（Ｂ）に示すように、システム制御回路３は、コンパクトディスク側の棒グラフ状表示５０においては、サブコードを介して検出される再生位置に応じて、対応するセグメントを順次点滅表示する。これによりこのコンパクトディスク側の棒グラフ状表示５０においては、点滅表示するセグメントが、ダビングが進むに従って順次左端より右端に移動することになる（図６（Ｃ））。
【００８６】
これに対してミニディスク側の棒グラフ状表示５１においては、ウォウブル信号より検出されるアドレスデータを累積して、記録開始から現在時刻に至るまでの録音時間を検出する。さらにシステム制御回路３は、この累積時間の分、この点滅表示の位置を順次右側に移動させ、また左端よりこの点滅表示のセグメントまでの間を点灯表示に切り換える。これによりシステム制御回路３は、既に記録された楽曲のデータ量を表示した状態で、記録位置及び、記録累積時間を表示する。
【００８７】
これによりシステム制御回路３は、この棒グラフ状表示５０、５１を目視するユーザーにおいて、コンパクトディスク１１側の再生状況、ミニディスク側の録音状況を同時に、かつ視覚的、感覚的に把握することができるように、棒グラフ状表示５０及び５１を形成する。またシステム制御回路３は、この棒グラフ状表示５０、５１を並べて形成することにより、オーディオ装置１では、例えばコンパクトディスク１１の全楽曲を記録した場合にはミニディスク側で記録困難になる等の状況を簡易かつ確実に把握することができ、これにより簡易かつ確実にダビングの状況を把握できるようになされている。
【００８８】
またこの実施の形態では、併せて時間情報を文字情報により表示したことにより、必要に応じてダビングの状況をさらに詳しく把握することができる。またシンボル５２、５３と並べて棒グラフ５０、５１を配置したことにより、またこの状態でオーディオ信号の流れを矢印の表示により示したことにより、ユーザーにおいては、ダビングの状況を感覚的に把握する場合に、コンパクトディスクの状況とミニディスクの状況とを間違いなく把握することができ、その分オーディオ装置１の使い勝手を向上できるようになされている。
【００８９】
これに対してミニディスク３１側において、ユーザーが重書き録音の動作モードを選択し場合、システム制御回路３は、コンパクトディスク１１側の棒グラフ状表示５０においては、追記録の場合と同様に表示し、また点滅表示の位置を順次移動させる。
【００９０】
システム制御回路３は、ミニディスク側の棒グラフ状表示５１においては、図６（Ｄ）に示すように、ミニディスクに既に記録されたオーディオ信号の総記録時間の分だけ、この棒グラフ状表示５１のセグメントを点灯した状態で、ミニディスクに既に記録されている楽曲から、ユーザーがミニディスクに残すことを希望した楽曲について、スタートアドレス、エンドアドレス、リンクポインターを順次辿って別途総記録時間を検出する。録音を開始すると、システム制御回路３は、この別途検出した総記録時間に続くセグメントを点滅表示に切り換えた後、順次ウォウブル信号を検出して得られるアドレスデータの累積値により、記録を開始して現在時点に至るまでの累積時間を検出する。さらにシステム制御回路３は、この累積時間の分、この点滅表示の位置を順次右側に移動させ、また左端よりこの点滅表示のセグメントまでの間を点灯表示に切り換える。これによりシステム制御回路３は、既に記録された楽曲のデータ量を表示した状態で、記録位置、記録累積時間を表示する。
【００９１】
これによりシステム制御回路３は、ミニディスク３１側で重書き録音する場合でも、視覚的、感覚的に、ダビングの状況を把握できるように、棒グラフ状表示５０及び５１を形成する。
【００９２】
これに対してプログラム選曲によりコンパクトディスク１１に記録されたオーディオ信号をミニディスクにダビングする場合、システム制御回路３は、図７に示す処理手順を実行し、これによりこの棒グラフの表示を有効に利用してユーザーの選曲作業の手助けをする。
【００９３】
すなわちシステム制御回路３は、ステップＳＰ１からステップＳＰ２に移り、ユーザーがプログラム選曲モードを選択すると、プログラム選択モードに動作モードを切り換える。ここで図８（Ａ）に示すように、システム制御回路３は、コンパクトディスク１１及びミニディスク３１の棒グラフ状表示５０及び５１を点灯する。このときシステム制御回路３は、リンクポインターを辿ってミニディスクに既に記録されたオーディオ信号の総記録時間を算出し、ミニディスク側の棒グラフ状表示５１において、全てのセグメントを点灯した際の棒グラフ状表示５１全体の長さが７４分の演奏時間に対応するように、１セグメントに３．７分の演奏時間を割り当て、この算出した総演奏時間の分セグメントを点灯する。またコンパクトディスク側においては、全セグメントを点灯する。
【００９４】
この状態でシステム制御回路３は、続いてステップＳＰ３に移り、ここでユーザーの選択した楽曲を入力する。続いてシステム制御回路３は、ステップＳＰ４に移り、システム制御回路１７との間のデータ通信により、このユーザーの選択した楽曲について、スタートアドレス、エンドアドレスを検出し、またこの楽曲の演奏時間を検出する。
【００９５】
続いてシステム制御回路３は、ステップＳＰ５に移り、ここでユーザーの選択によるプログラム演奏時間が、ミニディスクの録音残時間を越えているか否か判断し、否定結果が得られると、ステップＳＰ６に移る。
【００９６】
ここでシステム制御回路３は、図８（Ｂ）に示すように、このスタートアドレス、エンドアドレスより、コンパクトディスク１１側の棒グラフ状表示５０において、対応するセグメントを点滅表示し、また同時に、ミニディスク３１側の棒グラフ状表示５１において、対応するセグメントを点滅表示する。
【００９７】
ここでこのミニディスク側の点滅表示においては、ミニディスク３１でオーディオ信号を追記録する場合、点灯表示されたセグメント（すなわち記録済オーディオ信号のデータ量を表す）の右側のセグメントから、選択された楽曲の演奏時間分、セグメントを点滅する。これに対してミニディスク３１でオーディオ信号を重書き記録する場合、ユーザーがミニディスクに残すことを選択した楽曲について、リンクポインターを辿って演奏時間を累積し、棒グラフ状表示５１の左端よりこの累積時間分だけ右側に移動した次のセグメントから、選択された楽曲の演奏時間分、セグメントを点滅表示する。
【００９８】
これによりシステム制御回路３が、ユーザーの選曲操作に応動してコンパクトディスク側よりミニディスクにダビングされるオーディオ信号のデータ量を、その記録再生される領域と共に、棒グラフ上に表示するようになされ、これにより使い勝手を向上するようになされている。
【００９９】
かくしてシステム制御回路３は、このようにしてセグメントを点滅表示すると、ステップＳＰ７に移り、ここで録音開始の操作を待ち受ける。ここで録音開始の操作に代えて、続く選曲操作が実行されると、システム制御回路は、ステップＳＰ３に戻り、続くユーザーの選択した楽曲について一連の処理を繰り返す。
【０１００】
これにより例えばユーザーが追記録の動作モードで１１．１（３．７分×３）分程度の、コンパクトディスク１１の先頭に記録された楽曲を選択した場合（図８（Ｂ））、システム制御回路３は、ミニディスク３１側及びコンパクトディスク１１側の棒グラフ状表示５１及び５０において、対応するセグメントを３個分点滅表示した後、続くユーザーの選曲を受け入れる。続いてユーザーがコンパクトディスク１１のほぼ中間位置に記録された１４．８（３．７分×４）分程度の楽曲を選択した場合（図８（Ｃ））、システム制御回路３は、コンパクトディスク１１側については、対応するセグメントを４個分点滅表示に切り換え、またミニディスク側については、３個の点滅表示に続く４個のセグメントを点滅表示に切り換える。
【０１０１】
これによりシステム制御回路３は、ユーザーの一連の選択操作に応動して順次棒グラフ状表示５０及び５１を切り換え、ユーザーの選択した演奏時間がミニディスク３１の録音残時間を越えると、ステップＳＰ５において否定結果が得られることにより、ステップＳＰ８に移る。ここでシステム制御回路３は、図８（Ｄ））に示すように、棒グラフ状表示を切り換えると共に、ミニディスク側の棒グラフ状表示５１の右側に、「ＯＶＥＲ」の文字を表示し、これによりユーザーの選択した演奏時間がミニディスク３１の録音残時間を越えた旨、ユーザーに警告する。ちなみに、この場合ミニディスク側の棒グラフ状表示５１においては、ユーザーがミニディスクに残される楽曲に対応するセグメントが左端より点灯表示され、残るセグメントが全て点滅表示されることになる。
【０１０２】
かくするにつき、システム制御回路３においては、棒グラフ状表示５０及び５１の表示を目視して選曲作業を実施できることにより、この警告を発する以前に、棒グラフ状表示５０及び５１の表示により録音残時間を越える可能性のあることをユーザーに認識させることができる。すなわちユーザーにおいては、ミニディスク側の棒グラフ状表示５１により、残る録音可能領域が少なくなったことを確認でき、この場合は、時間情報の文字表示部５５（図１）により録音可能か否か判断でき、また録音可能と誤って選曲した場合でも、この警告表示５９によりこの誤った判断を確認することができる。これによりシステム制御回路３は、棒グラフ状表示によりプログラム選曲作業の結果を視覚的、感覚的に把握できるようになされ、また必要に応じて時間情報を表示して、また警告を表示して、ユーザーの所望する楽曲を確実にダビングできるようになされている。
【０１０３】
かくしてこのように警告表示した後、システム制御回路３は、ステップＳＰ９に移り、ユーザーのキー入力を待ち受け、ここでユーザーが録音できる範囲で録音する旨、ユーザーの選曲を肯定するキー入力を受けると、ステップＳＰ７に移る。これに対してユーザーが選曲をし直すと判断して、ユーザーの選曲を否定するキー入力を受けると、システム制御回路３は、ステップＳＰ３に戻り、改めてユーザーの選曲操作を待ち受ける。
【０１０４】
これに対してこのように一連の選曲処理を実行してユーザーが録音開始の操作子を操作すると、システム制御回路３は、ステップＳＰ７からステップＳＰ１０に移り、コンパクトディスクブロック４及びミニディスクブロック５に制御コマンドを発行し、ダビングを開始した後、ステップＳＰ１１に移ってこの処理手順を終了する。
【０１０５】
システム制御回路３は、このようにしてダビングを開始すると、図８（Ｅ）に示すように、ミニディスク側棒グラフ状表示５１においては、それぞれ追記録及び重書き記録する場合と同様に表示を切り換える。またコンパクトディスク側棒グラフ状表示５０においては、全てのセグメントを点灯した状態で、ユーザーが選曲しなかった楽曲の演奏時間を累積し、棒グラフ状表示５０の左端よりこの累積時間の分だけ右側のセグメントより点滅表示し、この点滅表示のセグメントを順次再生位置の変位に伴い右側に移動させる。
【０１０６】
以上の構成において、コンパクトディスク１１は（図２）、コンパクトディスクブロック４に装填されると、また電源が立ち上げられると、リードインエリアがアクセスされ、このリードインエリアに記録されたＴＯＣがシステム制御回路１７のメモリに展開される。これによりコンパクトディスク１１に記録されたオーディオ信号は、システム制御回路１７に展開されたＴＯＣに従って、ユーザーの所望する楽曲が再生されて出力される。
【０１０７】
同様に、ミニディスク３１は（図５）、ミニディスクブロック５に装填されると、また電源が立ち上げられると、リードインエリアがアクセスされ、このリードインエリアに記録されたＰ−ＴＯＣ及びＵ−ＴＯＣがシステム制御回路３８のメモリに展開される。これによりミニディスク３１に記録されたオーディオ信号は、システム制御回路３８に展開されたＰ−ＴＯＣ及びＵ−ＴＯＣに従って、ユーザーの所望する楽曲が再生されて出力される。またこのＰ−ＴＯＣ及びＵ−ＴＯＣに従って、未記録領域等が選択され、順次入力されるオーディオ信号が記録され、これに対応してシステム制御回路３８に展開されたＵ−ＴＯＣが更新された後、リードインエリアのＵ−ＴＯＣが更新される。
【０１０８】
このようにしてコンパクトディスク１１を再生する際に、コンパクトディスクブロック４のシステム制御回路１７において、コンパクトディスク１１全体の総記録時間、各楽曲の記録時間、楽曲数がＴＯＣより検出され、またオーディオデータと共に記録したサブコードにより再生位置が検出され、オーディオ装置１全体の動作を制御するシステム制御回路３により、これらの時間情報が表示ブロック６に表示される。
【０１０９】
このうち再生累積期間、再生残時間、各楽曲の再生時間及び再生残時間は、文字表示部５５を介して文字表示され、これによりユーザーにおいて、必要に応じて表示内容を切り換えてこれらの時間情報を正確に確認できるようになされている。またこれに加えて、矩形形状のセグメントを連続して形成してなる棒グラフ状表示５０において、コンパクトディスク１１の総記録時間がこの棒グラフ状表示５０の長さにより表示され、この表示中の点滅表示位置により再生位置が表示される。これによりこの棒グラフ状表示５０を介して、ユーザーにおいては、再生累積期間、再生残時間、再生位置を、視覚的、感覚的に把握できるようになされている。
【０１１０】
またこのコンパクトディスク１１の棒グラフ状表示５０の左側に配置されたコンパクトディスク１１の文字表示（ＣＤ）と、続くシンボル５２の表示により、コンパクトディスク１１の再生中であることが表示され、これによりユーザーにおいて、コンパクトディスク１１が再生中であることを、視覚的、感覚的に把握できるようになされている。
【０１１１】
これに対してミニディスク３１を記録再生する場合、ミニディスクブロック５のシステム制御回路３８において、ミニディスク３１全体の総記録時間、各楽曲の記録時間、楽曲数がＰ−ＴＯＣ及びＵ−ＴＯＣより検出され、またプリグルーブの蛇行により記録されたアドレスデータにより記録再生位置が検出され、オーディオ装置１全体の動作を制御するシステム制御回路３により、これらの時間情報が表示ブロック６に表示される。
【０１１２】
この表示において、再生累積期間、再生残時間、各楽曲の再生時間及び再生残時間は、文字表示部５５を介して表示され、これによりユーザーにおいて、必要に応じて表示内容を切り換えてこれらの時間情報を正確に確認できるようになされている。またこれに加えて、矩形形状のセグメントを連続して形成してなる棒グラフ状表示５１において、ミニディスク３１の記録時間がこの棒グラフ状表示５１の長さにより表示され、この表示中の点滅表示位置により記録再生位置が表示される。これによりこの棒グラフ状表示５１を介して、ユーザーにおいては、再生時、再生累積期間、再生残時間、再生位置を、記録時、記録累積期間、記録残時間、記録位置を、視覚的、感覚的に把握できるように形成されている。
【０１１３】
またこのミニディスク３１の棒グラフ状表示５１の左側に配置されたミニディスク３１の文字表示（ＭＤ）と、続くシンボル５３の表示により、ミニディスク３１の記録再生中であることが表示され、これによりユーザーにおいて、この動作状況を、視覚的、感覚的に把握できるようになされている。
【０１１４】
これに対してコンパクトディスク１１に記録されたオーディオ信号をミニディスク３１にダビングする場合、コンパクトディスク１１及びミニディスク３１の棒グラフ状表示５０及び５１が共に形成される。ここでコンパクトディスク１１の棒グラフ状表示５０においては、１セグメントに３．７分の演奏時間が割り当てられて、コンパクトディスク１１に記録された演奏時間分、セグメントが点灯され、サブコードを介して検出された再生位置に対応するセグメントが点滅表示される。
【０１１５】
またミニディスク３１の棒グラフ状表示５１においては、同様に１セグメントに３．７分の演奏時間が割り当てられて、全セグメントを点灯した場合に、ミニディスク３１の標準的な記録可能時間７４分に相当するように、ミニディスク３１に記録された演奏時間分、セグメントが点灯される。この状態でプリグルーブより検出されるアドレスデータを基準にして、リンクポインターを順次辿ってユーザーがミニディスクを操作して体感する記録位置が時間情報により計算され、この記録位置に対応するセグメントが点滅表示される。またダビングが進行するに伴って、この点滅表示のセグメントが右側に移動し、この点滅表示のセグメントより左側のセグメントが点灯表示に切り換わる。
【０１１６】
これによりこの２つの並んだ棒グラフ状表示５０及び５１によって、コンパクトディスク１１の再生状況とミニディスク３１における記録状況とを視覚的、感覚的に把握することができるようになされている。またこの棒グラフ状表示５０及び５１に隣接して配置したシンボル５２及び５３の循環表示により、コンパクトディスクブロック４及びミニディスクブロック５が共に動作中であることを視覚的、感覚的に把握することができ、さらにはシンボル５２及び５３を結ぶ矢印の表示によりオーディオ信号の流れを把握してダビング中であることを把握することができる。
【０１１７】
さらにこのとき棒グラフ状表示５０及び５１の下側に配置した文字表示部５５において、ユーザーの選択操作に応動して、再生累積時間等を表示し、これにより必要に応じてこれらの時間情報を正確に確認することができる。
【０１１８】
これに対してこのダビングにおいて、ユーザーがプログラム選択を選択した場合、コンパクトディスク１１側の棒グラフ状表示５０において、全てのセグメントが点灯表示された状態で、ユーザーの選択した楽曲に相当するセグメントが点滅表示に切り換えられる。また同時に、ミニディスク３１側の棒グラフ状表示５１において、ミニディスク３１に既に記録されたオーディオ信号に対応するセグメントを点灯した状態で、ユーザーの選択した記録位置に対応するセグメントから、ユーザーの選択した楽曲に相当するセグメントが点滅表示に切り換えられる。
【０１１９】
これによりこの２つの棒グラフ状表示５０及び５１を目視して、プログラム選曲の手助けとすることができ、ユーザーにおいては、例えばミニディスク３１の残量を大まかに把握しながら、所望の楽曲を選択することができる。またこの選曲の際に、ユーザーの選択した楽曲がミニディスク３１の録音可能時間を越える場合、ミニディスク側棒グラフ状表示５１に隣接して警告の文字を表示し、これによりユーザーの所望する楽曲を簡易かつ確実に記録することができるようになされている。
【０１２０】
以上の構成によれば、コンパクトディスクに記録されたオーディオ信号をミニディスクにより記録する際に、コンパクトディスク及びミニディスクに対応する棒グラフ状表示によりコンパクトディスクの再生位置、ミニディスクにおける記録位置を表示したことにより、コンパクトディスクの再生状況、ミニディスクの記録状況を、視覚的に、かつ感覚的に把握することができ、これによりダビングの状況を直観的に把握することができる。
【０１２１】
またプログラム選曲の際に、この２つの棒グラフ状表示により、ユーザーの選択した楽曲の演奏時間と、記録位置及び記録時間を表示したことにより、視覚的かつ感覚的に、プログラム選曲の状況を把握することができ、これによってもこのオーディオ装置１の使い勝手を向上することができる。
【０１２２】
なお上述の実施の形態においては、矩形形状のセグメントを連続して配置することにより棒グラフ状表示を形成する場合について述べたが、本発明はこれに限らず、円形形状のセグメント等を連続して配置することにより棒グラフ状表示を形成する場合、さらにはセグメントの連続に限らず、液晶デイスプレイ等により棒グラフ状表示を形成する場合にも広く適用することができる。
【０１２３】
さらに上述の実施の形態においては、ミニディスクの録音可能時間に対応するように、棒グラフ状表示を形成する場合について述べたが、本発明はこれに限らず、例えば図９に示すように、２つの棒グラフ状表示の全長をコンパクトディスクの再生時間、ミニディスクの録音可能時間に対応するように表示し、これらの表示上の相対的な位置関係により再生位置、記録位置を表示してもよい。
【０１２４】
また上述の実施の形態においては、プログラム選曲時、「ＯＶＥＲ」の文字表示により警告を発生する場合について述べたが、本発明はこれに限らず、例えば図１０に示すように、ミニディスク及びコンパクトディスクの関係をシンボル６０により表示する場合等、さらには音声合成により警告を発生する場合等、種々の発生手法を広く適用することができる。
【０１２５】
さらに上述の実施の形態では専用のグラフ状表示によりダビングの状況を表示する場合について述べたが、本発明はこれに限らず、例えばレベルメータと共用に棒グラフ状表示を形成し、ダビングの状況を表示しても良い。
【０１２６】
さらに上述の実施の形態においては、コンパクトディスク及びミニディスク間でオーディオ信号をダビングする場合について述べたが、本発明はこれに限らず、ミニディスク間でオーディオ信号をダビングする場合等、種々のディスク状記録媒体間でオーディオ信号等の情報信号を記録再生する場合に広く適用することができる。
【０１２７】
【発明の効果】
上述のように本発明によれば、ディスク状記録媒体間で情報信号を記録再生する際に、並べて配置した棒グラフ状表示により再生位置及び記録位置を表示することにより、この記録再生の進行状況を視覚的、感覚的に把握することができる。
【図面の簡単な説明】
【図１】本発明の実施の形態に係るオーディオ装置を示すブロック図である。
【図２】図１のコンパクトディスクブロックを示すブロック図である。
【図３】図１のミニディスクのＰ−ＴＯＣの説明に供する図表である。
【図４】図１のミニディスクのＵ−ＴＯＣの説明に供する図表である。
【図５】図１のミニディスクブロックを示すブロック図である。
【図６】図１の表示ブロックによる表示を示す略線図である。
【図７】ダビング時のプログラム選曲の動作の説明に供するフローチャートである。
【図８】図７のプログラム選曲中の表示ブロックによる表示を示す略線図である。
【図９】他の実施の形態に係る表示ブロックによる表示を示す略線図である。
【図１０】他の実施の形態に係る警告表示を示す略線図である。
【図１１】従来の時間情報の表示をダビング時に適用した場合を示す略線図である。
【符号の説明】
１                  オーディオ装置
２                  操作ブロック
３、１７、３８      システム制御回路
４                  コンパクトディスクブロック
５                  ミニディスクブロック
６                  表示ブロック
１１                コンパクトディスク
３１                ミニディスク
【図１】
0003624504.tif 000002
【図２】
0003624504.tif 000003
【図３】
0003624504.tif 000004
【図４】
0003624504.tif 000005
【図５】
0003624504.tif 000006
【図６】
0003624504.tif 000007
【図７】
0003624504.tif 000008
【図８】
0003624504.tif 000009
【図９】
0003624504.tif 000010
【図１０】
0003624504.tif 000011
【図１１】
0003624504.tif 000012